(57)【要約】【課題】ユーザに負担をかけることなく、他で利用されている周波数と競合しない周波数の設定を行うことを課題とする。【解決手段】ＦＭトランスミッタ機能付き携帯電話は、ＦＭ放送局情報ＤＢから位置情報およびＦＭ放送局情報についてのデータを読み出して、特定した現在位置の周辺に存在するＦＭ放送局において使用されている周波数と競合する可能性のない周波数（例えば、ＦＭ放送局の使用する周波数が８０．４ＭＨｚである場合は、０．３ＭＨｚ以上周波数帯域の異なる８０．７ＭＨｚ以上または８０．１ＭＨｚ以下の周波数）を選定する。周波数の選定後、コンテンツ情報を配信するための発信周波数をＦＭトランスミッタに設定するとともに、コンテンツ情報を受信させるための受信周波数をＦＭ受信機として機能するカーオーディオに設定する。【選択図】        図１
2008109496.tif 000002
【特許請求の範囲】
【請求項１】
コンテンツ情報を配信するための発信周波数を発信機に設定するとともに、当該コンテンツ情報を受信させるための受信周波数を受信機に設定する周波数設定装置であって、
所定の位置情報に対応付けて、ＦＭ放送局で使用されている放送局使用周波数を記憶する放送局使用周波数記憶手段と、
ユーザから前記コンテンツ情報の再生要求を受け付けた場合に、ネットワークを介して受信した所定の位置情報に基づいて現在位置を特定する位置特定手段と、
前記位置特定手段により特定された現在位置に基づいて、前記放送局使用周波数記憶手段により記憶されている前記放送局使用周波数と競合する可能性のない周波数を選定する周波数選定手段と、
前記周波数選定手段により選定された周波数を前記発信周波数として設定する発信周波数設定手段と、
前記受信周波数を設定するための受信機操作情報を記憶する受信機操作情報記憶手段と、
前記受信機操作情報記憶手段により記憶されている前記受信操作情報を用いて、前記周波数選定手段により選定された周波数を前記受信周波数として設定する受信周波数設定手段と、
を備えたことを特徴とする周波数設定装置。
【請求項２】
前記放送局使用周波数記憶手段は、ＧＰＳ情報に対応付けてＦＭ放送局で使用されている放送局使用周波数を記憶し、
前記位置特定手段は、ネットワークを介して受信したＧＰＳ情報に基づいて現在位置を特定することを特徴とする請求項１に記載の周波数設定装置。
【請求項３】
前記受信周波数設定手段は、無線通信機能を利用して、前記周波数選定手段により選定された周波数を前記受信周波数として設定することを特徴とする請求項１または２に記載の周波数設定装置。
【請求項４】
コンテンツ情報を配信するための発信周波数を発信機に設定するとともに、当該コンテンツ情報を受信させるための受信周波数を受信機に設定する周波数設定方法であって、
所定の位置情報に対応付けて、ＦＭ放送局で使用されている放送局使用周波数を記憶する放送局使用周波数記憶工程と、
ユーザから前記コンテンツ情報の再生要求を受け付けた場合に、ネットワークを介して受信した所定の位置情報に基づいて現在位置を特定する位置特定工程と、
前記位置特定工程により特定された現在位置に基づいて、前記放送局使用周波数記憶工程により記憶された前記放送局使用周波数と競合する可能性のない周波数を選定する周波数選定工程と、
前記周波数選定工程により選定された周波数を前記発信周波数として設定する発信周波数設定工程と、
前記受信周波数を設定するための受信機操作情報を記憶する受信機操作情報記憶工程と、
前記受信機操作情報記憶工程により記憶された前記受信操作情報を用いて、前記周波数選定工程により選定された周波数を前記受信周波数として設定する受信周波数設定工程と、
を含んだことを特徴とする周波数設定方法。
【請求項５】
コンテンツ情報を配信するための発信周波数を発信機に設定するとともに、当該コンテンツ情報を受信させるための受信周波数を受信機に設定する方法を周波数設定装置としてのコンピュータに実行させる周波数設定プログラムであって、
前記所定の位置情報に対応付けて、ＦＭ放送局で使用されている放送局使用周波数を記憶部に記憶する放送局使用周波数記憶手順と、
ユーザから前記コンテンツ情報の再生要求を受け付けた場合に、ネットワークを介して受信した前記所定の位置情報に基づいて現在位置を特定する位置特定手順と、
前記位置特定手順により特定された現在位置に基づいて、前記放送局使用周波数記憶手順により記憶部に記憶されている前記放送局使用周波数と競合する可能性のない周波数を選定する周波数選定手順と、
前記周波数選定手順により選定された周波数を前記発信周波数として設定する発信周波数設定手順と、
前記受信周波数を設定するための受信機操作情報を記憶部に記憶する受信機操作情報記憶手順と、
前記受信機操作情報記憶手順により記憶部に記憶されている前記受信操作情報を用いて、前記周波数選定手順により選定された周波数を前記受信周波数として設定する受信周波数設定手順と、
をコンピュータに実行させることを特徴とする周波数設定プログラム。
【発明の詳細な説明】
【技術分野】
【０００１】
この発明は、周波数設定装置、周波数設定方法および周波数設定プログラムに関する。
【背景技術】
【０００２】
従来より、楽曲データなどのコンテンツ情報を再生させることを目的として、楽曲データの信号を載せたＦＭ周波数を発信する、いわゆるＦＭトランスミッタを搭載したポータブル機器が存在する。例えば、ユーザがＦＭトラスミッタが搭載されたポータブル機器を利用する楽曲データなどのコンテンツ情報を再生させる場合には、全国の主要なＦＭ放送局の周波数と競合しない候補周波数の中からいずれかを選択して、楽曲データの信号を発信するためのＦＭトランスミッタ側の周波数、および楽曲データの信号を受信するためのＦＭ受信機側の周波数を手動で設定するのが一般的である。
【０００３】
なお、海外通信事業者のネットワークを利用することで、国内で使用している携帯電話番号やメールアドレスをそのまま利用することが可能な、いわゆる国際ローミングサービスに関して、このサービスを受けるための携帯電話の設定をＦＭ周波数に基づいて自動的に行う技術について開示されている（例えば、特許文献１参照）。
【０００４】
【特許文献１】特開２００６−２０２５６号公報
【発明の開示】
【発明が解決しようとする課題】
【０００５】
ところで、上記したポータブル機器は、周波数の競合を防止することができない、ユーザに負担がかかるといった問題点があった。
【０００６】
すなわち、ユーザがＦＭトランスミッタやＦＭ受信機に対して周波数を設定する際に選択する候補周波数の中には、いわゆるコミュニティＦＭ局と呼ばれる送信出力の弱いローカルなＦＭ放送局の周波数までは対象となっておらず、ＦＭトランスミッタにおいて設定した周波数とＦＭ放送局の周波数との競合を完全に防止することができないという問題点があった。なお、周波数の競合は、再生楽曲データにノイズが入る主な原因ともなる。
【０００７】
また、例えば、移動中の車内でポータブル機器を利用している場合には、車の移動に伴って、ＦＭトランスミッタにおける周波数の再設定、およびカーオーディオなどのＦＭ受信機における周波数の再設定をその都度手動で行う必要があり、ユーザに負担がかかるといった問題点があった。
【０００８】
そこで、この発明は、上述した従来技術の課題を解決するためになされたものであり、ユーザに負担をかけることなく、他で利用されている周波数と競合しない周波数の設定が可能な周波数設定装置、周波数設定方法および周波数設定プログラムを提供することを目的とする。
【課題を解決するための手段】
【０００９】
上述した課題を解決し、目的を達成するため、請求項１に係る発明は、コンテンツ情報を配信するための発信周波数を発信機に設定するとともに、当該コンテンツ情報を受信させるための受信周波数を受信機に設定する周波数設定装置であって、所定の位置情報に対応付けて、ＦＭ放送局で使用されている放送局使用周波数を記憶する放送局使用周波数記憶手段と、ユーザから前記コンテンツ情報の再生要求を受け付けた場合に、ネットワークを介して受信した所定の位置情報に基づいて現在位置を特定する位置特定手段と、前記位置特定手段により特定された現在位置に基づいて、前記放送局使用周波数記憶手段により記憶されている前記放送局使用周波数と競合する可能性のない周波数を選定する周波数選定手段と、前記周波数選定手段により選定された周波数を前記発信周波数として設定する発信周波数設定手段と、前記受信周波数を設定するための受信機操作情報を記憶する受信機操作情報記憶手段と、前記受信機操作情報記憶手段により記憶されている前記受信操作情報を用いて、前記周波数選定手段により選定された周波数を前記受信周波数として設定する受信周波数設定手段と、を備えたことを特徴とする。
【００１０】
また、請求項２に係る発明は、上記の発明において、前記放送局使用周波数記憶手段は、ＧＰＳ情報に対応付けてＦＭ放送局で使用されている放送局使用周波数を記憶し、前記位置特定手段は、ネットワークを介して受信したＧＰＳ情報に基づいて現在位置を特定することを特徴とする。
【００１１】
また、請求項３に係る発明は、上記の発明において、前記受信周波数設定手段は、無線通信機能を利用して、前記周波数選定手段により選定された周波数を前記受信周波数として設定することを特徴とする。
【００１２】
また、請求項４に係る発明は、コンテンツ情報を配信するための発信周波数を発信機に設定するとともに、当該コンテンツ情報を受信させるための受信周波数を受信機に設定する周波数設定方法であって、所定の位置情報に対応付けて、ＦＭ放送局で使用されている放送局使用周波数を記憶する放送局使用周波数記憶工程と、ユーザから前記コンテンツ情報の再生要求を受け付けた場合に、ネットワークを介して受信した所定の位置情報に基づいて現在位置を特定する位置特定工程と、前記位置特定工程により特定された現在位置に基づいて、前記放送局使用周波数記憶工程により記憶された前記放送局使用周波数と競合する可能性のない周波数を選定する周波数選定工程と、前記周波数選定工程により選定された周波数を前記発信周波数として設定する発信周波数設定工程と、前記受信周波数を設定するための受信機操作情報を記憶する受信機操作情報記憶工程と、前記受信機操作情報記憶工程により記憶された前記受信操作情報を用いて、前記周波数選定工程により選定された周波数を前記受信周波数として設定する受信周波数設定工程と、を含んだことを特徴とする。
【００１３】
また、請求項５に係る発明は、コンテンツ情報を配信するための発信周波数を発信機に設定するとともに、当該コンテンツ情報を受信させるための受信周波数を受信機に設定する方法を周波数設定装置としてのコンピュータに実行させる周波数設定プログラムであって、前記所定の位置情報に対応付けて、ＦＭ放送局で使用されている放送局使用周波数を記憶部に記憶する放送局使用周波数記憶手順と、ユーザから前記コンテンツ情報の再生要求を受け付けた場合に、ネットワークを介して受信した前記所定の位置情報に基づいて現在位置を特定する位置特定手順と、前記位置特定手順により特定された現在位置に基づいて、前記放送局使用周波数記憶手順により記憶部に記憶されている前記放送局使用周波数と競合する可能性のない周波数を選定する周波数選定手順と、前記周波数選定手順により選定された周波数を前記発信周波数として設定する発信周波数設定手順と、前記受信周波数を設定するための受信機操作情報を記憶部に記憶する受信機操作情報記憶手順と、前記受信機操作情報記憶手順により記憶部に記憶されている前記受信操作情報を用いて、前記周波数選定手順により選定された周波数を前記受信周波数として設定する受信周波数設定手順と、をコンピュータに実行させることを特徴とする。
【発明の効果】
【００１４】
本発明によれば、所定の位置情報に対応付けてＦＭ放送局で使用されている放送局使用周波数をあらかじめ記憶しておき、ネットワークを介して受信した所定の位置情報に基づいて現在位置を特定し、特定した現在位置から放送局使用周波数を競合する可能性のない周波数を選定して、選定された周波数を発信周波数として設定するとともに、受信周波数を設定するための受信機操作情報（受信周波数を設定するための操作手順に関する情報）をあらかじめ記憶しておき、この受信操作情報を用いて選定された周波数を受信周波数として設定するので、従来手動で行われていた周波数の設定を自動で行うことによりユーザに負担をかけることなく、ＦＭ放送局など、他で利用されている周波数と競合しない周波数の設定が可能である。
【００１５】
また、本発明によれば、ＧＰＳ情報や基地局識別情報に対応付けて放送局使用周波数に関する情報を記憶するととともに、ネットワークを介して受信したこれらの情報に基づいて現在位置を特定するので、例えば、携帯電話やＰＤＡなどのポータブル機器にＦＭ周波数を発信する機能（ＦＭトランスミッタ）を搭載した場合に、携帯電話などに従来から搭載されている通信機能を利用してＧＰＳ情報や基地局識別情報を受信することができ、現在位置を精度よく特定することが可能である。
【００１６】
また、本発明によれば、無線通信機能を利用して選定された周波数を受信周波数として設定するので、携帯電話などに従来から搭載されている無線通信機能（赤外線通信やＢｌｕｅｔｏｏｔｈ通信の機能）を利用することができ、受信機に対してあたかも手動で設定しているかのように自動で受信周波数を設定することが可能である。
【００１７】
また、本発明によれば、ネットワークを介して、例えば、ＦＭ放送局の使用周波数に関する情報を管理するサーバなどから更新情報をダウンロードすることで、記憶されている放送局使用周波数に関する情報を更新するので、精度よく周波数の選定を行うことが可能である。
【００１８】
また、本発明によれば、ネットワークを介して、例えば、受信機操作情報を管理するサーバなどから更新情報をダウンロードすることで、記憶されている受信機操作情報を更新するので、新製品など様々に受信機に対応した受信周波数の設定が可能である。
【発明を実施するための最良の形態】
【００１９】
以下に添付図面を参照して、本発明に係る周波数設定装置、周波数設定方法および周波数設定プログラムの実施例を詳細に説明する。なお、以下では、実施例で用いる主要な用語（用語の説明）、本発明に係る周波数設定装置の機能を搭載したＦＭトランスミッタ機能付き携帯電話を実施例１として説明した後に、本発明に含まれる他の実施例を説明する。
【実施例１】
【００２０】
［用語の説明］
まず最初に、本実施例で用いる主要な用語を説明する。本実施例で用いる「ＦＭトランスミッタ機能付き携帯電話」とは、内部的なメモリに記憶しているコンテンツ情報（例えば、楽曲データや音声データ）をＦＭ受信機から再生するために、イヤホン端子から入力されたコンテンツ情報に関するデータをＦＭ周波数に乗せて発信するＦＭトランスミッタを搭載した携帯電話端末のことである。
【００２１】
［ＦＭトランスミッタ機能付き携帯電話の概要および特徴（実施例１）］
まず、図１を用いて、実施例１に係るＦＭトランスミッタ機能付き携帯電話の概要および特徴を説明する。図１は、実施例１に係るＦＭトランスミッタ機能付き携帯電話の概要および特徴を説明するための図である。
【００２２】
実施例１に係るＦＭトランスミッタ機能付き携帯電話は、ネットワーク（公衆回線網やインターネット、ＷＡＮやＬＡＮなどで形成される通信網）を介して、通常の通信や電話接続を行う機能および無線通信機能（赤外線通信やＢｌｕｅｔｏｏｔｈ通信の機能）を備えるとともに、ＦＭ周波数を発信するＦＭトランスミッタを備え、コンテンツ情報を配信するための発信周波数をＦＭトランスミッタに設定するとともに、コンテンツ情報を受信させるための受信周波数をＦＭ受信機として機能するカーオーディオに設定することを概要とするが、ユーザに負担をかけることなく、ＦＭ放送局など、他で利用されているＦＭ周波数と競合しない周波数の設定が可能である点に主たる特徴がある。
【００２３】
この主たる特徴について具体的に説明すると、実施例１に係るＦＭトランスミッタ機能付き携帯電話は、ＧＰＳ情報などから取得した位置情報に対応付けてＦＭ放送局情報を記憶するＦＭ放送局情報ＤＢ（データベース）と、オーディオ情報に対応付けてＦＭ受信機操作情報（受信周波数を設定するための操作手順に関する情報）を記憶するＦＭ受信機操作情報ＤＢとを予め保持する。
【００２４】
そして、例えば、楽曲データの配信再生要求を車内のユーザから受け付けると、このＦＭトランスミッタ機能付き携帯電話は、ネットワークを介して受信したＧＰＳ情報から位置情報を取得する。次に、取得した位置情報（例えば、緯度および経度からなる位置情報）に基づいて現在位置を特定する。
【００２５】
続いて、このＦＭトランスミッタ機能付き携帯電話は、特定した位置情報に基づいて周波数を選定する。具体的に説明すると、ＦＭ放送局情報ＤＢから位置情報およびＦＭ放送局情報についてのデータを読み出して、特定した現在位置の周辺に存在するＦＭ放送局において使用されている周波数と競合する可能性のない周波数（例えば、ＦＭ放送局の使用する周波数が８０．４ＭＨｚである場合は、０．３ＭＨｚ以上周波数帯域の異なる８０．７ＭＨｚ以上または８０．１ＭＨｚ以下の周波数）を選定する（図１の（１）参照）。ここで、「競合する可能性がある」とは、周波数帯域の重複の程度によって、ＦＭ電波に乗せて配信する楽曲データなどのコンテンツ情報にノイズが入る可能性がある場合をいう。
【００２６】
周波数の選定後、このＦＭトランスミッタ機能付き携帯電話は、コンテンツ情報を配信するための発信周波数をＦＭトランスミッタに設定するとともに、コンテンツ情報を受信させるための受信周波数をＦＭ受信機として機能するカーオーディオに設定する（図１の（２）参照）。
【００２７】
具体的に説明すると、このＦＭトランスミッタ機能付き携帯電話は、選定した周波数をＦＭトランスミッタに発信周波数として設定する。また、ＦＭ受信機操作情報ＤＢからカーオーディオに対応する受信機操作情報を読み出し、読み出した受信機操作情報から把握されるＦＭ周波数設定操作手順に従って、無線通信機能（赤外線通信やＢｌｕｅｔｏｏｔｈ通信の機能）を利用したリモートコントロールにより、選定したＦＭ周波数（ＦＭトランスミッタに設定されたものと同一の周波数）をカーオーディオに対して受信周波数として設定する。
【００２８】
周波数の設定後、このＦＭトランスミッタ機能付き携帯電話は、再生した楽曲データなどのコンテンツ情報をＦＭ電波に乗せて配信する（図１の（３））。ＦＭトランスミッタから楽曲データなどを配信するために発信される電波の周波数と同一の周波数が設定されているカーオーディオから、配信された楽曲データなどが再生される。
【００２９】
このようなことから、実施例１によれば、ユーザに負担をかけることなく、ＦＭ放送局など、他で利用されているＦＭ周波数と競合しない周波数の設定が可能である。
【００３０】
［ＦＭトランスミッタ機能付き携帯電話の構成（実施例１）］
次に、図２を用いて、実施例１に係るＦＭトランスミッタ機能付き携帯電話の構成を説明する。図２は、実施例１に係るＦＭトランスミッタ機能付き携帯電話の構成を示すブロック図である。なお、同図においては、実施例１に係るＦＭトランスミッタ機能付き携帯電話を実現するうえで必要となる処理機能（処理部）のみを示しており、その他の処理機能の記載については省略している。
【００３１】
同図に示すように、実施例１に係るＦＭトランスミッタ機能付き携帯電話１は、全体管理機能１０と、電話機能１１と、音楽プレイヤー１２と、ＦＭトランスミッタ１３と、位置特定機能１４と、ＦＭ受信機操作機能１５と、ＦＭ放送局情報ＤＢ１６と、ＦＭ受信機操作情報ＤＢ１７とから構成される。
【００３２】
ＦＭ放送局情報ＤＢ１６は、ＧＰＳ情報などから取得した位置情報に対応付けてＦＭ放送局情報を記憶するＤＢであり、具体的には、図３に例示するように、ＧＰＳ情報などから取得した緯度および経度からなる位置情報（例えば、緯度：３５度４０分４０．８秒／経度：１３９度４６分１２秒）に対応付けて、局名および使用周波数からなるＦＭ放送局情報（例えば、局名：Ａ局／使用周波数：８０．４ＭＨｚ）をあらかじめ記憶して構成される。また、ＦＭ放送局情報ＤＢ１６に記憶されているデータは、全体管理機能１０による各種処理（周波数選定処理）に利用される。なお、ＧＰＳ情報などから取得した位置情報に対応付けてＦＭ放送局情報を記憶して構成する場合に限られるものではなく、例えば、基地局識別情報に対応付けてＦＭ放送局情報を記憶して構成するようにしてもよい。
【００３３】
ＦＭ受信機操作情報ＤＢ１７は、オーディオ情報に対応付けてＦＭ受信機操作情報を記憶するＤＢであり、具体的には、図４に例示するように、メーカおよび品名からなるオーディオ情報（例えば、メーカ：Ｂ社、品名：ＣＤＦ）に対応付けて、ＦＭ受信機操作情報（受信周波数を設定するための操作手順に関する情報）を記憶して構成される。また、ＦＭ受信機操作情報ＤＢ１７に記憶されているデータは、全体管理機能１０による各種処理（周波数設定処理）に利用される。
【００３４】
電話機能１１は、電話回線を利用した通常の電話接続を実現する機能である。音楽プレイヤーは、内部的なメモリなどに蓄積したコンテンツ情報（例えば、楽曲データや音声データなど）の再生を実現する機能である。
【００３５】
ＦＭトランスミッタ１３は、ＦＭ周波数からなるＦＭ電波を発信する発信機であり、全体管理機能１０からＦＭ周波数の設定を受け付けて、音楽プレイヤー１２によって再生されたコンテンツ情報を乗せたＦＭ電波をＦＭ受信機であるカーオーディオに対して発信する。
【００３６】
位置特定機能１４は、現在位置の特定を実現するための機能であり、全体管理機能１０からの要求を受け付けて、ネットワークを介して受信したＧＰＳ情報から位置情報を取得するとともに、取得した位置情報から現在位置に関する情報を全体管理機能へ出力する。
【００３７】
ＦＭ受信機操作機能１５は、ＦＭ受信機の周波数設定を実現する機能であり、設定指定周波数および設定手順からなる設定実行指令を全体管理機能１０から受け付けると、その設定手順に従って、設定指定周波数を無線通信機能（赤外線通信やＢｌｕｅｔｏｏｔｈ通信の機能）を利用したリモートコントロールによりカーオーディオに対して受信周波数として設定する。
【００３８】
全体管理機能１０は、所定の制御プログラム、各種の処理手順などを規定したプログラムおよび所要データを格納するための内部メモリを有し、これらによって周波数選定処理や周波数設定処理などの種々の処理を実現する機能である。
【００３９】
具体的に説明すると、全体管理機能１０は、音楽プレイヤー１２を介して、ユーザからコンテンツ情報（例えば、楽曲データや音声データなど）の配信再生要求を受け付けると、位置特定機能１４に対して現在位置に関する情報を要求する。位置特定機能１４から現在位置に関する情報を受け付けると、この情報に基づいて現在位置を特定した後、周波数の選定を実行する。
【００４０】
詳細には、ＦＭ放送局情報ＤＢ１６から位置情報およびＦＭ放送局情報についてのデータを読み出して、特定した現在位置の周辺に存在するＦＭ放送局において使用されている周波数と競合する可能性のない周波数（例えば、ＦＭ放送局の使用する周波数が８０．４ＭＨｚである場合は、０．３ＭＨｚ以上周波数帯域の異なる８０．７ＭＨｚ以上または８０．１ＭＨｚ以下の周波数）を選定する。
【００４１】
周波数の選定後、全体管理機能１０は、コンテンツ情報を配信するための発信周波数をＦＭトランスミッタ１３に設定するとともに、コンテンツ情報を受信させるための受信周波数をＦＭ受信機として機能するカーオーディオに設定する。
【００４２】
詳細には、選定した周波数をＦＭトランスミッタ１３に発信周波数として設定する。また、ＦＭ受信機操作情報ＤＢ１７からカーオーディオに対応する受信機操作情報を読み出し、読み出した受信機操作情報から把握されるＦＭ周波数設定操作手順（設定手順）および選定した周波数（設定指定周波数）からなる設定実行指令をＦＭ受信機操作機能１５へ出力して、ＦＭ受信機であるカーオーディオに対して受信周波数の設定をＦＭ受信機操作機能１５に実行させる。
【００４３】
なお、全体管理機能１０がＦＭ受信機操作情報ＤＢ１７からカーオーディオに対応する受信機操作情報を読み出して、ＦＭ受信機操作機能１５に出力する場合に限られるものではなく、ユーザがあらかじめＦＭ受信機操作情報を設定しておいて、ＦＭ受信機操作機能１５に出力するようにしてもよい。
【００４４】
そして、周波数の設定後、ＦＭトランスミッタ１３から楽曲データなどを配信するために発信される電波の周波数と同一の周波数が設定されているカーオーディオから、受信された楽曲データなどが再生される。
【００４５】
また、この実施例１では、ＦＭトランスミッタ機能を備えた携帯電話を例に挙げて説明しているが、本発明は、ネットワーク通信機能や無線通信機能を備えた他の携帯端末（例えば、ＰＨＳやＰＤＡなど）にも同様に適用することができる。
【００４６】
［ＦＭトランスミッタ機能付き携帯電話の処理（実施例１）］
次に、図５を用いて、実施例１に係るＦＭトランスミッタ機能付き携帯電話の処理を説明する。図５は、実施例１に係る周波数設定処理の流れを示すシーケンス図である。
【００４７】
同図に示すように、音楽プレイヤー１２を介して、ユーザからコンテンツ情報（例えば、楽曲データや音声データなど）の配信再生要求を受け付けると（ステップＳ５０１）、全体管理機能１０は、位置特定機能１４に対して現在位置に関する情報を要求する。
【００４８】
位置特定機能１４は、全体管理機能１０からの要求を受け付けると、ネットワークを介して受信したＧＰＳ情報から位置情報を取得するとともに、取得した位置情報から現在位置に関する情報を全体管理機能へ出力する（ステップＳ５０２）。
【００４９】
全体管理機能１０は、位置特定機能１４から現在位置に関する情報を受け付けると、この情報に基づいて現在位置を特定した後、周波数の選定を実行する（ステップＳ５０３）。詳細には、ＦＭ放送局情報ＤＢ１６から位置情報およびＦＭ放送局情報についてのデータを読み出して、特定した現在位置の周辺に存在するＦＭ放送局において使用されている周波数と競合する可能性のない周波数（例えば、ＦＭ放送局の使用する周波数が８０．４ＭＨｚである場合は、０．３ＭＨｚ以上周波数帯域の異なる８０．７ＭＨｚ以上または８０．１ＭＨｚ以下の周波数）を選定する。ここで、「競合する可能性がある」とは、周波数帯域の重複の程度によって、ＦＭ電波に乗せて配信する楽曲データなどのコンテンツ情報にノイズが入る可能性がある場合をいう。
【００５０】
周波数の選定後、全体管理機能１０は、コンテンツ情報を配信するための発信周波数をＦＭトランスミッタ１３に設定するとともに、コンテンツ情報を受信させるための受信周波数をＦＭ受信機として機能するカーオーディオに設定する（ステップＳ５０４およびステップＳ５０５）。詳細には、選定した周波数をＦＭトランスミッタ１３に発信周波数として設定する。また、ＦＭ受信機操作情報ＤＢ１７からカーオーディオに対応する受信機操作情報を読み出し、読み出した受信機操作情報から把握されるＦＭ周波数設定操作手順（設定手順）および選定した周波数（設定指定周波数）からなる設定実行指令をＦＭ受信機操作機能１５へ出力して、ＦＭ受信機であるカーオーディオに対して受信周波数の設定をＦＭ受信機操作機能１５に実行させるように制御する。
【００５１】
なお、設定指定周波数および設定手順からなる設定実行指令を全体管理機能１０から受け付けると、ＦＭ受信機操作機能１５は、その設定手順に従って、設定指定周波数を無線通信機能（赤外線通信やＢｌｕｅｔｏｏｔｈ通信の機能）を利用したリモートコントロールによりカーオーディオに対して受信周波数として設定する。
【００５２】
そして、ＦＭトランスミッタ１３は、全体管理機能１０から発信周波数の設定を受け付けて、音楽プレイヤー１２によって再生されたコンテンツ情報を乗せたＦＭ電波を発信して、ＦＭ受信機であるカーオーディオに対してコンテンツ情報を配信する（ステップＳ５０６）。ＦＭトランスミッタ１３から楽曲データなどを配信するために発信される電波の周波数と同一の周波数が設定されているカーオーディオから、配信された楽曲データなどが再生される。
【００５３】
［実施例１の効果］
上述してきたように、実施例１によれば、所定の位置情報に対応付けてＦＭ放送局で使用されている放送局使用周波数をあらかじめ記憶しておき、ネットワークを介して受信した所定の位置情報に基づいて現在位置を特定し、特定した現在位置から放送局使用周波数を競合する可能性のない周波数を選定して、選定された周波数を発信周波数として設定するとともに、受信周波数を設定するための受信機操作情報（受信周波数を設定するための操作手順に関する情報）をあらかじめ記憶しておき、この受信操作情報を用いて選定された周波数を受信周波数として設定するので、従来手動で行われていた周波数の設定を自動で行うことによりユーザに負担をかけることなく、ＦＭ放送局など、他で利用されている周波数と競合しない周波数の設定が可能である。
【００５４】
また、実施例１によれば、ＧＰＳ情報や基地局識別情報に対応付けて放送局使用周波数に関する情報を記憶するととともに、ネットワークを介して受信したこれらの情報に基づいて現在位置を特定するので、例えば、携帯電話やＰＤＡなどのポータブル機器にＦＭ周波数を発信する機能（ＦＭトランスミッタ）を搭載した場合に、携帯電話などに従来から搭載されている通信機能を利用してＧＰＳ情報や基地局識別情報を受信することができ、現在位置を精度よく特定することが可能である。
【００５５】
また、実施例１によれば、無線通信機能を利用して選定された周波数を受信周波数として設定するので、携帯電話などに従来から搭載されている無線通信機能（赤外線通信やＢｌｕｅｔｏｏｔｈ通信の機能）を利用することができ、受信機に対してあたかも手動で設定しているかのように自動で受信周波数を設定することが可能である。
【実施例２】
【００５６】
上記の実施例１において、現在位置を定期的に更新して、更新された現在位置周辺のＦＭ放送局で使用されている周波数と、ＦＭトランスミッタ１３およびカーオーディオに設定済みの周波数とが競合する可能性がある場合には、ＦＭトランスミッタ１３およびカーオーディオに設定済みの周波数を再設定するようにしてもよい。そこで、以下の実施例２では、実施例２に係るＦＭトランスミッタ機能付き携帯電話の処理を説明した後に、実施例２による効果を説明する。
【００５７】
［ＦＭトランスミッタ機能付き携帯電話の処理（実施例２）］
まず、図６を用いて、実施例２に係るＦＭトランスミッタ機能付き携帯電話の処理を説明する。図６は、実施例２に係る周波数の自動再設定処理の流れを示すフローチャートである。
【００５８】
同図に示すように、ネットワークを介してＧＰＳ情報を定期的に受信して位置情報を更新する位置特定機能１４から、更新された位置情報を受け付けた場合には（ステップＳ６０１肯定）、全体管理機能１０は、この位置情報に基づいて現在位置を再特定する（ステップＳ６０２）。
【００５９】
現在位置の再特定後、全体管理機能１０は、ＦＭ放送局情報ＤＢ１６から位置情報およびＦＭ放送局情報を読み出して、現在位置を再特定するまで内部的に保持していた選定周波数と、再特定した現在位置の周辺に存在するＦＭ放送局が使用する周波数とが競合する可能性があるか否か判定する（ステップＳ６０３）。
【００６０】
判定の結果、現在位置を再特定するまで内部的に保持していた選定周波数と、再特定した現在位置の周辺に存在するＦＭ放送局が使用する周波数とが競合する可能性がある場合には（ステップＳ６０３肯定）、競合する可能性のない周波数を再選定し、ＦＭトランスミッタ１３およびカーオーディオに設定済みの周波数を再設定する（ステップＳ６０４）。
【００６１】
周波数の選定について具体的に説明すると、全体管理機能１０は、上述した実施例１と同様に、再特定した現在位置の周辺に存在するＦＭ放送局において使用されている周波数と競合する可能性のない周波数（例えば、ＦＭ放送局の使用する周波数が８０．４ＭＨｚである場合は、０．３ＭＨｚ以上周波数帯域の異なる８０．７ＭＨｚ以上または８０．１ＭＨｚ以下の周波数）を選定する。
【００６２】
また、周波数の設定について具体的に説明すると、全体管理機能１０は、ＦＭトランスミッタ１３によるＦＭ電波の発信を一時的に停止させ、上述した実施例１と同様に、選定した周波数をＦＭトランスミッタ１３に発信周波数として設定する。また、ＦＭ受信機操作情報ＤＢ１７からカーオーディオに対応する受信機操作情報を読み出し、読み出した受信機操作情報から把握されるＦＭ周波数設定操作手順（設定手順）および選定した周波数（設定指定周波数）からなる設定実行指令をＦＭ受信機操作機能１５へ出力して、ＦＭ受信機であるカーオーディオに対して受信周波数の設定をＦＭ受信機操作機能１５に実行させるように制御する。
【００６３】
なお、設定指定周波数および設定手順からなる設定実行指令を全体管理機能１０から受け付けると、ＦＭ受信機操作機能１５は、その設定手順に従って、設定指定周波数を無線通信機能（赤外線通信やＢｌｕｅｔｏｏｔｈ通信の機能）を利用したリモートコントロールによりカーオーディオに対して受信周波数として設定する。
【００６４】
そして、全体管理機能１０は、ＦＭトランスミッタ１３に対して発信周波数の設定した後、音楽プレイヤー１２によって再生されたコンテンツ情報をカーオーディオに対して配信するため、ＦＭトランスミッタから再びＦＭ電波を発信させるように制御する。
【００６５】
なお、ＦＭトランスミッタ１３は、全体管理機能１０から発信周波数の設定を受け付けて、音楽プレイヤー１２によって再生されたコンテンツ情報を乗せたＦＭ電波を発信して、ＦＭ受信機であるカーオーディオに対してコンテンツ情報を配信する（ステップＳ６０５）。
【００６６】
［実施例２の効果］
所定の位置情報に基づいて定期的に現在位置を更新された場合には、現在位置の更新まで選定されて保持されていた周波数とＦＭ放送局使用周波数とが競合する可能性があるか否か判定し、競合する可能性があると判定された場合には、競合する可能性のない周波数を再選定するので、例えば、移動中の車内でＦＭトランスミッタを搭載した携帯電話やＰＤＡなどのポータブル機器を利用して、楽曲データなどのコンテンツ情報を再生している場合には、車の移動に伴って、ＦＭトランスミッタにおける周波数の再設定、およびカーオーディオなどのＦＭ受信機における周波数の再設定を自動で行うことができ、ユーザに負担をかけることなく、ＦＭ放送局など、他で利用されている周波数と競合しない周波数の設定が可能である。また、車の移動に伴って、ＦＭ放送局など、他で利用されている周波数と競合しない周波数が自動で設定されるので、楽曲データにノイズが入るのを防止することができ、クリアな楽曲データの再生が可能となる。
【実施例３】
【００６７】
ところで、上記の実施例１または２では、位置情報に基づいて特定した現在位置から、周波数を選定する場合を説明したが、本発明はこれに限定されるものではなく、例えば、車両内でＦＭトランスミッタ機能付き携帯電話を利用する場合に、車両に搭載されたナビゲーション装置において設定された経路情報に基づいて、周波数を選定するようにしてもよい。そこで、以下の実施例３では、実施例３に係るＦＭトランスミッタ機能付き携帯電話の構成および処理を説明した後に、実施例３による効果を説明する。
【００６８】
［ＦＭトランスミッタ機能付き携帯電話の構成（実施例３）］
まず、図７を用いて、実施例３に係るＦＭトランスミッタ機能付き携帯電話の構成を説明する。図７は、実施例３に係るＦＭトランスミッタ機能付き携帯電話の構成を示すブロック図である。なお、同図においては、実施例３に係るＦＭトランスミッタ機能付き携帯電話を実現するうえで必要となる処理機能（処理部）のみを示しており、その他の処理機能の記載については省略している。
【００６９】
同図に示すように、実施例３に係るＦＭトランスミッタ機能付き携帯電話１は、上述した実施例１および実施例２に係るＦＭトランスミッタ機能付き携帯電話１と、電話機能１１と、音楽プレイヤー１２と、ＦＭトランスミッタ１３と、位置特定機能１４と、ＦＭ受信操作機能１５と、ＦＭ受信機操作情報ＤＢ１７とが同様の構成（処理機能）を有するが、全体管理機能１０およびＦＭ放送局情報ＤＢ１６が異なる構成（処理機能）を有する。
【００７０】
すなわち、ＦＭ放送局情報ＤＢ１６は、ＧＰＳ情報などから取得した緯度および経度からなる位置情報に対応付けて、局名および使用周波数からなるＦＭ放送局情報をあらかじめ記憶するだけでなく、図８に例示するように、ＧＰＳ情報などから取得した地点名および地点ＩＤからなる地点情報（例えば、地点名：Ｎ交差点／地点ＩＤ：０００１）をさらに対応付けて記憶して構成される。
【００７１】
また、全体管理機能１０は、音楽プレイヤー１２を介して、ユーザからコンテンツ情報（例えば、楽曲データや音声データなど）の配信再生要求を受け付けると、データのやり取りが可能な状態に接続されたナビゲーション装置１８に対して、ユーザにより設定された経路情報を要求する。そして、ナビゲーション装置１８から経路情報を受け付けると、この経路情報から出発地点から目的地点までの各地点情報を抽出した後、周波数の選定を実行する。
【００７２】
周波数の選定について具体的に説明すると、全体管理機能１０は、経路情報から各地点情報を抽出した後、ＦＭ放送局情報ＤＢ１６から位置情報、地点情報およびＦＭ放送局情報についてのデータを読み出して、抽出した各地点情報の周辺に存在するＦＭ放送局において使用されている周波数と競合する可能性のない周波数（例えば、ＦＭ放送局の使用する周波数が８０．４ＭＨｚである場合は、０．３ＭＨｚ以上周波数帯域の異なる８０．７ＭＨｚ以上または８０．１ＭＨｚ以下の周波数）を選定する。
【００７３】
なお、ユーザからの要求がなく、ナビゲーション装置１８において経路の設定が行われていない場合には、上述した実施例１または２と同様の手順（図５または図６参照）で、周波数の選定および設定を行うようにしてもよい。
【００７４】
周波数の選定後、全体管理機能１０は、上述した実施例１または２と同様に、コンテンツ情報を配信するための発信周波数をＦＭトランスミッタ１３に設定するとともに、コンテンツ情報を受信させるための受信周波数をＦＭ受信機として機能するカーオーディオに設定する。
【００７５】
［ＦＭトランスミッタ機能付き携帯電話の処理（実施例３）］
次に、図９を用いて、実施例３に係るＦＭトランスミッタ機能付き携帯電話の処理を説明する。図９は、実施例３に係る周波数設定処理の流れを示すフローチャートである。
【００７６】
同図に示すように、音楽プレイヤー１２を介して、ユーザからコンテンツ情報（例えば、楽曲データや音声データなど）の配信再生要求を受け付けると（ステップＳ９０１肯定）、全体管理機能１０は、データのやり取りが可能な状態に接続されたナビゲーション装置１８に対して、ユーザにより設定された経路情報を要求する。そして、ナビゲーション装置１８から経路情報を受け付けると、この経路情報から出発地点から目的地点までの各地点情報を抽出した後（ステップＳ９０２）、周波数の選定を実行する（ステップＳ９０３）。
【００７７】
周波数の選定について具体的に説明すると、全体管理機能１０は、経路情報から各地点情報を抽出した後、ＦＭ放送局情報ＤＢ１６から位置情報、地点情報およびＦＭ放送局情報についてのデータを読み出して、抽出した各地点情報の周辺に存在するＦＭ放送局において使用されている周波数と競合する可能性のない周波数（例えば、ＦＭ放送局の使用する周波数が８０．４ＭＨｚである場合は、０．３ＭＨｚ以上周波数帯域の異なる８０．７ＭＨｚ以上または８０．１ＭＨｚ以下の周波数）を選定する。
【００７８】
なお、ユーザからの要求がなく、ナビゲーション装置１８において経路の設定が行われていない場合には、上述した実施例１または２と同様の手順（図５または図６参照）で、周波数の選定および設定を行うようにしてもよい。
【００７９】
周波数の選定後、全体管理機能１０は、上述した実施例１または２と同様に、コンテンツ情報を配信するための発信周波数をＦＭトランスミッタ１３に設定するとともに、コンテンツ情報を受信させるための受信周波数をＦＭ受信機として機能するカーオーディオに設定する（ステップＳ９０４）。
【００８０】
そして、全体管理機能１０は、ＦＭトランスミッタ１３に対して発信周波数の設定した後、音楽プレイヤー１２によって再生されたコンテンツ情報をカーオーディオに対して配信するため、ＦＭトランスミッタから再びＦＭ電波を発信させるように制御する。
【００８１】
なお、ＦＭトランスミッタ１３は、全体管理機能１０から発信周波数の設定を受け付けて、音楽プレイヤー１２によって再生されたコンテンツ情報を乗せたＦＭ電波を発信して、ＦＭ受信機であるカーオーディオに対してコンテンツ情報を配信する（ステップＳ９０５）。
【００８２】
［実施例３の効果］
上述してきたように、実施例３によれば、所定の経路情報に対応付けて地点情報（例えば、地点名や地点を特定するために一意に付与する地点ＩＤなど）および放送局使用周波数を記憶し、ユーザからの要求を受け付けて設定された出発地点から目的地点までの経路に関する経路情報（例えば、ナビゲーション装置により設定された経路情報）を取得し、ユーザからコンテンツ情報の再生要求を受け付けた場合に、取得された経路情報に対応する経路上の各地点に関する地点情報を抽出して、抽出された地点情報に基づいて放送局使用周波数と競合する可能性のない周波数を選定するので、例えば、移動中の車内でＦＭトランスミッタを搭載した携帯電話やＰＤＡなどのポータブル機器を利用して、楽曲データなどのコンテンツ情報を再生する場合に、ＦＭ放送局など、他で利用されている周波数と競合しない周波数を初めから設定することができ、車の移動に伴って、ユーザに周波数を再設定する負担をかけさせないようにすることが可能である。
【実施例４】
【００８３】
さて、これまで本発明の実施例について説明したが、本発明は上述した実施例以外にも、種々の異なる形態にて実施されてよいものである。そこで、以下では、本発明に含まれる他の実施例を説明する。
【００８４】
（１）ＦＭ放送局情報ＤＢ１６およびＦＭ受信機操作情報ＤＢ１７のデータ更新
上記の実施例において、ＦＭ放送局情報ＤＢ１６およびＦＭ受信機操作情報ＤＢ１７に記憶されているデータを更新するようにしてもよい。例えば、図１０に例示するように、ＦＭ放送局の使用周波数に関する情報や、ＦＭ受信機操作情報を管理する管理サーバ２０からネットワーク２を介して更新データをダウンロードすることで、ＦＭ放送局情報ＤＢ１６に記憶されている放送局使用周波数に関する情報や、ＦＭ受信機操作情報ＤＢ１７に記憶されている受信機操作情報を更新する。
【００８５】
このように、ＦＭ放送局の使用周波数に関する情報や受信機操作情報を管理する管理サーバ２０からネットワーク２を介して更新データをダウンロードすることで、ＦＭ放送局情報ＤＢ１６およびＦＭ受信機操作情報ＤＢ１７に記憶されているデータを更新するので、精度よく周波数の選定を行うことが可能であるとともに、新製品など様々に受信機に対応した受信周波数の設定が可能である。
【００８６】
（２）装置構成
また、図２または図７に示したＦＭトランスミッタ機能付き携帯電話１の各構成要素は機能概念的なものであり、必ずしも物理的に図示の如く構成されていることを要しない。すなわち、各装置の分散・統合の具体的形態は図示のものに限られず、全体管理機能１０と、位置特定機能１４と、ＦＭ受信機操作機能１５とを統合する、あるいは、全体管理機能１０および位置特定機能１４により実現する周波数選定処理機能を分散させてナビゲーション装置１８に搭載するなど、その全部または一部を、各種の負荷や使用状況などに応じて、任意の単位で機能的または物理的に分散・統合して構成することができる。さらに、各装置にて行なわれる各処理機能（周波数選定処理機能および周波数設定処理機能、図５、図６および図９参照）は、その全部または任意の一部が、ＣＰＵおよび当該ＣＰＵにて解析実行されるプログラムにて実現され、あるいは、ワイヤードロジックによるハードウェアとして実現され得る。
【００８７】
（３）周波数設定プログラム
ところで、上記の実施例で説明したＦＭトランスミッタ機能付き携帯電話にかかる各種の処理（図５、図６および図９参照）は、あらかじめ用意されたプログラムをパーソナルコンピュータやワークステーションなどのコンピュータシステムで実行することによって実現することができるとともに、あらかじめ用意したアプリケーションプログラムをＦＭトランスミッタ機能を備えた携帯端末（例えば、携帯電話やＰＨＳ、ＰＤＡ）上で実行することによって実現することができる。そこで、以下では、図１１および図１２を用いて、上記の実施例と同様の機能を有する周波数設定プログラムを実行するコンピュータの一例を説明する。図１１および図１２は、周波数設定プログラムを実行するコンピュータを示す図である。
【００８８】
まず、図１１に示すように、コンピュータ３０は、ＨＤＤ３１、ＲＡＭ３２、ＲＯＭ３３およびＣＰＵ３４をバス４０で接続して構成される。
【００８９】
そして、ＲＯＭ３３には、上記の実施例１または２に示したＦＭトランスミッタ機能付き携帯電話１と同様の機能を発揮する周波数設定プログラム、つまり、図１１に示すように、現在位置特定プログラム３３ａ、周波数選定プログラム３３ｂおよび周波数設定プログラム３３ｃがあらかじめ記憶されている。なお、これらのプログラム３３ａ、３３ｂおよび３３ｃについては、図２に示したＦＭトランスミッタ機能付き携帯電話１の各構成要素と同様、適宜統合または分散してもよい。なお、ＲＯＭ３３は、不揮発性の「ＲＡＭ」でもよい。
【００９０】
そして、ＣＰＵ３４が、これらのプログラム３３ａ、３３ｂおよび３３ｃをＲＯＭ３３から読み出して実行することで、図１１に示すように、各プログラム３３ａ、３３ｂおよび３３ｃは、現在位置特定プロセス３４ａ、周波数選定プロセス３４ｂおよび周波数設定プロセス３４ｃとして機能するようになる。なお、各プロセス３４ａ、３４ｂおよび３４ｃは、図２に示した全体管理機能１０が実現する機能（発信周波数設定処理機能）、全体管理機能１０と位置特定機能１４とが相互に連携して実現する処理機能（現在位置特定処理機能、周波数選定処理機能）、および全体管理機能１０とＦＭ受信機操作機能１５とが相互に連携して実現する処理機能（受信周波数設定機能）にそれぞれ対応する。
【００９１】
また、ＨＤＤ３１には、図１１に示すように、ＦＭ放送局情報テーブル３１ａおよびＦＭ受信機操作情報テーブル３１ｂがそれぞれ設けられる。これらのＦＭ放送局情報テーブル３１ａおよびＦＭ受信機操作情報テーブル３１ｂは、図２に示したＦＭ放送局情報ＤＢ１６およびＦＭ受信機操作情報ＤＢ１７にそれぞれ対応する。そして、ＣＰＵ３４は、ＦＭ放送局情報テーブル３１ａおよびＦＭ受信機操作情報テーブル３１ｂからＦＭ放送局情報データ３２ａおよびＦＭ受信機操作情報データ３２ｂをそれぞれ読み出してＲＡＭ３２に格納し、ＲＡＭ３２に格納されたＦＭ放送局情報データ３２ａおよびＦＭ受信機操作情報データ３２ｂに基づいて周波数設定処理を実行する。
【００９２】
なお、上記した各プログラム３３ａ、３３ｂおよび３３ｃについては、必ずしも最初からＲＯＭ３３に記憶させておく必要はなく、例えば、コンピュータ３０に挿入されるフレキシブルディスク（ＦＤ）、ＣＤ−ＲＯＭ、ＤＶＤディスク、光磁気ディスク、ＩＣカードなどの「可搬用の物理媒体」、または、コンピュータ３０の内外に備えられるＨＤＤなどの「固定用の物理媒体」、さらには、公衆回線、インターネット、ＬＡＮ、ＷＡＮなどを介してコンピュータ３０に接続される「他のコンピュータ（またはサーバ）」などに各プログラムを記憶させておき、コンピュータ３０がこれらから各プログラムを読み出して実行するようにしてもよい。
【００９３】
また、図１２に示すように、コンピュータ５０は、ＨＤＤ５１、ＲＡＭ５２、ＲＯＭ５３およびＣＰＵ５４をバス６０で接続して構成される。
【００９４】
そして、ＲＯＭ５３には、上記の実施例３に示したＦＭトランスミッタ機能付き携帯電話１と同様の機能を発揮する周波数設定プログラム、つまり、図１２に示すように、地点情報抽出プログラム５３ａ、周波数選定プログラム５３ｂおよび周波数設定プログラム５３ｃがあらかじめ記憶されている。なお、これらのプログラム５３ａ、５３ｂおよび５３ｃについては、図７に示したＦＭトランスミッタ機能付き携帯電話１の各構成要素と同様、適宜統合または分散してもよい。なお、ＲＯＭ５３は、不揮発性の「ＲＡＭ」でもよい。
【００９５】
そして、ＣＰＵ５４が、これらのプログラム５３ａ、５３ｂおよび５３ｃをＲＯＭ５３から読み出して実行することで、図１２に示すように、各プログラム５３ａ、５３ｂおよび５３ｃは、地点情報抽出プロセス５４ａ、周波数選定プロセス５４ｂおよび周波数設定プロセス５４ｃとして機能するようになる。なお、各プロセス５４ａ、５４ｂおよび５４ｃは、図７に示した全体管理機能１０が実現する機能（発信周波数設定処理機能）、全体管理機能１０と位置特定機能１４とナビゲーション装置１８とが相互に連携して実現する処理機能（地点情報抽出処理機能、周波数選定処理機能）、および全体管理機能１０とＦＭ受信機操作機能１５とが相互に連携して実現する処理機能（受信周波数設定処理機能）にそれぞれ対応する。
【００９６】
また、ＨＤＤ５１には、図１２に示すように、ＦＭ放送局情報テーブル５１ａおよびＦＭ受信機操作情報テーブル５１ｂがそれぞれ設けられる。これらのＦＭ放送局情報テーブル５１ａおよびＦＭ受信機操作情報テーブル５１ｂは、図７に示したＦＭ放送局情報ＤＢ１６およびＦＭ受信機操作情報ＤＢ１７にそれぞれ対応する。そして、ＣＰＵ５４は、ＦＭ放送局情報テーブル５１ａおよびＦＭ受信機操作情報テーブル５１ｂからＦＭ放送局情報データ５２ａおよびＦＭ受信機操作情報データ５２ｂをそれぞれ読み出してＲＡＭ５２に格納し、ＲＡＭ５２に格納されたＦＭ放送局情報データ５２ａおよびＦＭ受信機操作情報データ５２ｂに基づいて周波数設定処理を実行する。
【００９７】
なお、上記した各プログラム５３ａ、５３ｂおよび５３ｃについては、必ずしも最初からＲＯＭ５３に記憶させておく必要はなく、例えば、コンピュータ５０に挿入されるフレキシブルディスク（ＦＤ）、ＣＤ−ＲＯＭ、ＤＶＤディスク、光磁気ディスク、ＩＣカードなどの「可搬用の物理媒体」、または、コンピュータ５０の内外に備えられるＨＤＤなどの「固定用の物理媒体」、さらには、公衆回線、インターネット、ＬＡＮ、ＷＡＮなどを介してコンピュータ５０に接続される「他のコンピュータ（またはサーバ）」などに各プログラムを記憶させておき、コンピュータ５０がこれらから各プログラムを読み出して実行するようにしてもよい。
【００９８】
（付記１）コンテンツ情報を配信するための発信周波数を発信機に設定するとともに、当該コンテンツ情報を受信させるための受信周波数を受信機に設定する周波数設定装置であって、
所定の位置情報に対応付けて、ＦＭ放送局で使用されている放送局使用周波数を記憶する放送局使用周波数記憶手段と、
ユーザから前記コンテンツ情報の再生要求を受け付けた場合に、ネットワークを介して受信した所定の位置情報に基づいて現在位置を特定する位置特定手段と、
前記位置特定手段により特定された現在位置に基づいて、前記放送局使用周波数記憶手段により記憶されている前記放送局使用周波数と競合する可能性のない周波数を選定する周波数選定手段と、
前記周波数選定手段により選定された周波数を前記発信周波数として設定する発信周波数設定手段と、
前記受信周波数を設定するための受信機操作情報を記憶する受信機操作情報記憶手段と、
前記受信機操作情報記憶手段により記憶されている前記受信操作情報を用いて、前記周波数選定手段により選定された周波数を前記受信周波数として設定する受信周波数設定手段と、
を備えたことを特徴とする周波数設定装置。
【００９９】
（付記２）前記放送局使用周波数記憶手段は、ＧＰＳ情報に対応付けてＦＭ放送局で使用されている放送局使用周波数を記憶し、
前記位置特定手段は、ネットワークを介して受信したＧＰＳ情報に基づいて現在位置を特定することを特徴とする付記１に記載の周波数設定装置。
【０１００】
（付記３）前記放送局使用周波数記憶手段は、基地局識別情報に対応付けてＦＭ放送局で使用されている放送局使用周波数を記憶し、
前記位置特定手段は、ネットワークを介して受信した基地局識別情報に基づいて現在位置を特定することを特徴とする付記１に記載の周波数設定装置。
【０１０１】
（付記４）前記受信周波数設定手段は、無線通信機能を利用して、前記周波数選定手段により選定された周波数を前記受信周波数として設定することを特徴とする付記１〜３のいずれか一つに記載の周波数設定装置。
【０１０２】
（付記５）ネットワークを介して、前記放送局使用周波数記憶手段により記憶されている前記放送局使用周波数に関する情報を更新する周波数情報更新手段をさらに備えたことを特徴とする付記１に記載の周波数設定装置。
【０１０３】
（付記６）ネットワークを介して、前記受信機操作情報記憶手段により記憶されている前記受信機操作情報を更新する操作情報更新手段をさらに備えたことを特徴とする付記１に記載の周波数設定装置。
【０１０４】
（付記７）前記位置特定手段は、ネットワークを介して定期的に受信する前記所定の位置情報に基づいて現在位置を更新し、
前記位置特手段により現在位置が更新された場合に、前記周波数選定手段により当該現在位置の更新まで選定されて保持されていた周波数と、前記放送局使用周波数記憶手段により記憶されている前記放送局使用周波数とが競合する可能性があるか否か判定する判定手段と、
前記判定手段により競合する可能性があると判定された場合には、競合する可能性のない周波数を再選定する周波数再選定手段をさらに備えたことを特徴とする付記１〜４のいずれか一つに記載の周波数設定装置。
【０１０５】
（付記８）前記放送局使用周波数記憶手段は、前記所定の経路情報に対応付けて、地点情報および前記放送局使用周波数を記憶し、
ユーザからの要求を受け付けて設定された出発地点から目的地点までの経路に関する経路情報を取得する経路情報取得手段と、
ユーザから前記コンテンツ情報の再生要求を受け付けた場合に、前記経路情報取得手段により取得された前記経路情報から、当該経路情報に対応する経路上の各地点に関する地点情報を抽出する地点情報抽出手段とをさらに備え、
前記周波数選定手段は、前記地点情報抽出手段により抽出された地点情報に基づいて、前記放送局使用周波数記憶手段により記憶されている前記放送局使用周波数と競合する可能性のない周波数を選定することを特徴とする付記１〜４のいずれか一つに記載の周波数設定装置。
【０１０６】
（付記９）コンテンツ情報を配信するための発信周波数を発信機に設定するとともに、当該コンテンツ情報を受信させるための受信周波数を受信機に設定する周波数設定方法であって、
所定の位置情報に対応付けて、ＦＭ放送局で使用されている放送局使用周波数を記憶する放送局使用周波数記憶工程と、
ユーザから前記コンテンツ情報の再生要求を受け付けた場合に、ネットワークを介して受信した所定の位置情報に基づいて現在位置を特定する位置特定工程と、
前記位置特定工程により特定された現在位置に基づいて、前記放送局使用周波数記憶工程により記憶された前記放送局使用周波数と競合する可能性のない周波数を選定する周波数選定工程と、
前記周波数選定工程により選定された周波数を前記発信周波数として設定する発信周波数設定工程と、
前記受信周波数を設定するための受信機操作情報を記憶する受信機操作情報記憶工程と、
前記受信機操作情報記憶工程により記憶された前記受信操作情報を用いて、前記周波数選定工程により選定された周波数を前記受信周波数として設定する受信周波数設定工程と、
を含んだことを特徴とする周波数設定方法。
【０１０７】
（付記１０）前記放送局使用周波数記憶工程は、ＧＰＳ情報に対応付けてＦＭ放送局で使用されている放送局使用周波数を記憶し、
前記位置特定工程は、ネットワークを介して受信したＧＰＳ情報に基づいて現在位置を特定することを特徴とする付記９に記載の周波数設定方法。
【０１０８】
（付記１１）
前記放送局使用周波数記憶工程は、基地局識別情報に対応付けてＦＭ放送局で使用されている放送局使用周波数を記憶し、
前記位置特定工程は、ネットワークを介して受信した基地局識別情報に基づいて現在位置を特定することを特徴とする付記９に記載の周波数設定方法。
【０１０９】
（付記１２）前記受信周波数設定工程は、無線通信機能を利用して、前記周波数選定工程により選定された周波数を前記受信周波数として設定することを特徴とする付記９〜１１のいずれか一つに記載の周波数設定方法。
【０１１０】
（付記１３）ネットワークを介して、前記放送局使用周波数記憶工程により記憶された前記放送局使用周波数に関する情報を更新する周波数情報更新工程をさらに含んだことを特徴とする付記９に記載の周波数設定方法。
【０１１１】
（付記１４）ネットワークを介して、前記受信機操作情報記憶工程により記憶された前記受信機操作情報を更新する操作情報更新工程をさらに含んだことを特徴とする付記９に記載の周波数設定方法。
【０１１２】
（付記１５）前記位置特定工程は、ネットワークを介して定期的に受信する前記所定の位置情報に基づいて定期的に現在位置を更新し、
前記位置特定工程により現在位置が更新された場合に、前記周波数選定工程により当該現在位置の更新まで選定されて保持されていた周波数と、前記放送局使用周波数記憶工程により記憶された前記放送局使用周波数とが競合する可能性があるか否か判定する判定工程と、
前記判定工程により競合する可能性があると判定された場合には、競合する可能性のない周波数を再選定する周波数再選定工程をさらに含んだことを特徴とする付記９〜１２のいずれか一つに記載の周波数設定方法。
【０１１３】
（付記１６）前記放送局使用周波数記憶工程は、前記所定の経路情報に対応付けて、地点情報および前記放送局使用周波数を記憶し、
ユーザからの要求を受け付けて設定された出発地点から目的地点までの経路に関する経路情報を取得する経路情報取得工程と、
ユーザから前記コンテンツ情報の再生要求を受け付けた場合に、前記経路情報取得工程により取得された前記経路情報から、当該経路情報に対応する経路上の各地点に関する地点情報を抽出する地点情報抽出工程とをさらに含み、
前記周波数選定工程は、前記地点情報抽出工程により抽出された地点情報に基づいて、前記放送局使用周波数記憶工程により記憶された前記放送局使用周波数と競合する可能性のない周波数を選定することを特徴とする付記９〜１２のいずれか一つに記載の周波数設定方法。
【０１１４】
（付記１７）コンテンツ情報を配信するための発信周波数を発信機に設定するとともに、当該コンテンツ情報を受信させるための受信周波数を受信機に設定する方法を周波数設定装置としてのコンピュータに実行させる周波数設定プログラムであって、
前記所定の位置情報に対応付けて、ＦＭ放送局で使用されている放送局使用周波数を記憶部に記憶する放送局使用周波数記憶手順と、
ユーザから前記コンテンツ情報の再生要求を受け付けた場合に、ネットワークを介して受信した前記所定の位置情報に基づいて現在位置を特定する位置特定手順と、
前記位置特定手順により特定された現在位置に基づいて、前記放送局使用周波数記憶手順により記憶部に記憶されている前記放送局使用周波数と競合する可能性のない周波数を選定する周波数選定手順と、
前記周波数選定手順により選定された周波数を前記発信周波数として設定する発信周波数設定手順と、
前記受信周波数を設定するための受信機操作情報を記憶部に記憶する受信機操作情報記憶手順と、
前記受信機操作情報記憶手順により記憶部に記憶されている前記受信操作情報を用いて、前記周波数選定手順により選定された周波数を前記受信周波数として設定する受信周波数設定手順と、
をコンピュータに実行させることを特徴とする周波数設定プログラム。
【０１１５】
（付記１８）前記放送局使用周波数記憶手順は、ＧＰＳ情報に対応付けてＦＭ放送局で使用されている放送局使用周波数を記憶部に記憶し、
前記位置特定手順は、ネットワークを介して受信したＧＰＳ情報に基づいて現在位置を特定することを特徴とする付記１７に記載の周波数設定プログラム。
【０１１６】
（付記１９）前記受信周波数設定手順は、無線通信機能を利用して、前記周波数選定手順により選定された周波数を前記受信周波数として設定することを特徴とする付記１７または１８に記載の周波数設定プログラム。
【０１１７】
（付記２０）前記放送局使用周波数記憶手順は、前記所定の経路情報に対応付けて、地点情報および前記放送局使用周波数を記憶部に記憶し、
ユーザからの要求を受け付けて設定された出発地点から目的地点までの経路に関する経路情報を取得する経路情報取得手順と、
ユーザから前記コンテンツ情報の再生要求を受け付けた場合に、前記経路情報取得手順により取得された前記経路情報から、当該経路情報に対応する経路上の各地点に関する地点情報を抽出する地点情報抽出手順とをさらにコンピュータに実行させ、
前記周波数選定手順は、前記地点情報抽出手順により抽出された地点情報に基づいて、前記放送局使用周波数記憶手順により記憶部に記憶されている前記放送局使用周波数と競合する可能性のない周波数を選定することを特徴とする付記１７〜１９のいずれか一つに記載の周波数設定プログラム。
【産業上の利用可能性】
【０１１８】
以上のように、本発明に係る周波数設定装置、周波数設定方法および周波数設定プログラムは、コンテンツ情報を配信するための発信周波数を発信機に設定するとともに、当該コンテンツ情報を受信させるための受信周波数を受信機に設定する場合に有用であり、特に、ユーザに負担をかけることなく、他で利用されている周波数と競合しない周波数の設定を行うことに適する。
【図面の簡単な説明】
【０１１９】
【図１】実施例１に係るＦＭトランスミッタ機能付き携帯電話の概要および特徴を説明するための図である。
【図２】実施例１に係るＦＭトランスミッタ機能付き携帯電話の構成を示すブロック図である。
【図３】実施例１に係るＦＭ放送局情報ＤＢのデータ構成例を示す図である。
【図４】実施例１に係るＦＭ受信機操作情報ＤＢのデータ構成例を示す図である。
【図５】実施例１に係る周波数設定処理の流れを示すシーケンス図である。
【図６】実施例２に係る周波数の自動再設定処理の流れを示すフローチャートである。
【図７】実施例３に係るＦＭトランスミッタ機能付き携帯電話の構成を示すブロック図である。
【図８】実施例３に係るＦＭ放送局情報ＤＢのデータ構成例を示す図である。
【図９】実施例３に係る周波数設定処理の流れを示すフローチャートである。
【図１０】実施例４に係るＤＢ更新の概要を示す図である。
【図１１】周波数設定プログラムを実行するコンピュータを示す図である。
【図１２】周波数設定プログラムを実行するコンピュータを示す図である。
【符号の説明】
【０１２０】
１  ＦＭトランスミッタ機能付き携帯電話
２  ネットワーク
１０  全体管理機能
１１  電話機能
１２  音楽プレイヤー
１３  ＦＭトランスミッタ
１４  位置特定機能
１５  ＦＭ受信機操作機能
１６  ＦＭ放送局情報ＤＢ
１７  ＦＭ受信機操作情報ＤＢ
１８  ナビゲーション装置
２０  管理サーバ
３０  コンピュータ
３１  ＨＤＤ（Hard Disk Drive）
３１ａ  ＦＭ放送局情報テーブル
３１ｂ  ＦＭ受信機操作情報テーブル
３２  ＲＡＭ（Random Access Memory）
３２ａ  ＦＭ放送局情報データ
３２ｂ  ＦＭ受信機操作情報データ
３３  ＲＯＭ（Read Only Memory）
３３ａ  現在位置特定プログラム
３３ｂ  周波数選定プログラム
３３ｃ  周波数設定プログラム
３４  ＣＰＵ（Central Processing Unit）
３４ａ  現在位置特定プロセス
３４ｂ  周波数選定プロセス
３４ｃ  周波数設定プロセス
４０  バス
５０  コンピュータ
５１  ＨＤＤ（Hard Disk Drive）
５１ａ  ＦＭ放送局情報テーブル
５１ｂ  ＦＭ受信機操作情報テーブル
５２  ＲＡＭ（Random Access Memory）
５２ａ  ＦＭ放送局情報データ
５２ｂ  ＦＭ受信機操作情報データ
５３  ＲＯＭ（Read Only Memory）
５３ａ  地点情報抽出プログラム
５３ｂ  周波数選定プログラム
５３ｃ  周波数設定プログラム
５４  ＣＰＵ（Central Processing Unit）
５４ａ  地点情報抽出プロセス
５４ｂ  周波数選定プロセス
５４ｃ  周波数設定プロセス
６０  バス
【図１】
2008109496.tif 000003
【図２】
2008109496.tif 000004
【図３】
2008109496.tif 000005
【図４】
2008109496.tif 000006
【図５】
2008109496.tif 000007
【図６】
2008109496.tif 000008
【図７】
2008109496.tif 000009
【図８】
2008109496.tif 000010
【図９】
2008109496.tif 000011
【図１０】
2008109496.tif 000012
【図１１】
2008109496.tif 000013
【図１２】
2008109496.tif 000014